(57)【特許請求の範囲】
【請求項１】
円筒状の容器とした本体（１）の内部に、水、肥料、薬剤より選ばれる少なくとも一種を、前記本体（１）から栽培手段に供給できるようにして収容すると共に、前記本体（１）の側周部に、粘着捕獲層とした害虫防除手段（３）を設けたことを特徴とする農園芸用資材。
【請求項２】
前記害虫防除手段（３）を、本体（１）の側周部の上部または下部を除いて設けたものとし、その除いた部分を把持部（１７）としたことを特徴とする請求項１記載の農園芸用資材。
【請求項３】
前記薬剤が、土壌殺菌剤、植物成長調整剤、除草剤、根茎調節剤、土壌生物防除剤、誘引剤、殺虫剤、有害生物忌避剤、昆虫成長調整剤より選ばれる少なくとも一種であることを特徴とする請求項１記載の農園芸用資材。
【請求項４】
前記栽培手段が、田畑、庭地、プランター、鉢の何れかであることを特徴とする請求項１記載の農園芸用資材。
【請求項５】
前記本体（１）の下部に、細管状とした差込ノズル兼把持部（１９）を設けたことを特徴とする請求項１記載の農園芸用資材。
【請求項６】
前記本体（１）の下半部の側周部に、複数の供給孔（２０）を設けたことを特徴とする請求項１記載の農園芸用資材。
【請求項７】
前記本体（１）の下部を、円錐形状にして尖らせた差込部（２２）としたことを特徴とする請求項１記載の農園芸用資材。
【請求項８】
前記本体（１）の側周部に、剥離可能とした密封シール（２１）を貼り付けたことを特徴とする請求項１記載の農園芸用資材。
【請求項９】
前記本体（１）の下部に、周囲に張り出させた起立部（２４）を設けたことを特徴とする請求項１記載の農園芸用資材。
【請求項１０】
前記本体（１）の上部に、吊り下げ部（２５）を設けたことを特徴とする請求項１記載の農園芸用資材。
【発明の詳細な説明】
【０００１】
【発明の属する技術分野】
この発明は、屋内外に置いたプランターや鉢、田畑、庭地などで植物を栽培するときに用いる農園芸用資材に関するものである。
【０００２】
【従来の技術】
従来、農園芸用資材として、例えば図１６に示したように、肥料又は廃棄物に圧力をかけて棒状あるいは円板状、キューブ状等に成形した圧密化肥料３１としたものが存在する。この圧密化肥料３１は、保存スペースを削減でき、保存性が良好で取扱いが容易であり、その施肥に際しても、取扱いが容易で施肥面積に対してポイント的に施肥できるという効果を有する（特許文献１参照）。
【０００３】
また、害虫防除材として、例えば図１７に示したように、粘着材が塗布された粘着フィルム４２を複数の段面を持つアコーディオン構成としたり、また粘着フィルム４２の周囲に色彩枠４４を付して粘着トラップ４１としたものが存在する。この粘着トラップ４１は、粘着フィルム４２をアコーディオン構成とすることで占有空間当たりの粘着面を増大すると共に、粘着フィルム４２の周囲に色彩枠４４を付すことで誘引効果を増大させ、飛翔性農業害虫の補殺率を向上させるという効果を有する（特許文献２参照）。
【０００４】
【特許文献１】
特開平６−３０５８７２号公報（第３頁、図１）
【特許文献２】
特開２０００−４７５４号公報（第３頁、図２）
【０００５】
【発明が解決しようとする課題】
しかしながら、上記従来の農園芸用資材では、肥料又は廃棄物に圧力をかけて棒状あるいは円板状、キューブ状等に成形したといっても、肥料の表面は保護部材で覆われてはおらず、施肥状態において降雨にあうと、その表面に直接雨が当たり、肥料の溶出量が多くなったり、降雨量が多い場合には肥料が流出してしまうなどの問題点を有していた。
【０００６】
さらに、上記従来の害虫防除材では、粘着フィルム４２をアコーディオン構成としているため、不用意に伸縮してしまうので取り扱い難いものとなり、その設置場所にも制限を受けるという問題点を有していた。また、設置場所において風に煽られるなどすると、粘着フィルム４２が栽培している植物の葉などに引っ付いてしまって、剥がすことができなくなったり、剥がすことができても植物の葉などを傷つけることがあるという問題点を有していた。
【０００７】
そこで、この発明は、上記従来の課題を解決するものであり、害虫防除機能を有したものとすると共に、施肥状態において降雨にあっても肥料の溶出量が多くなることなく、降雨量が多い場合にも肥料が流出してしまうことなく、設置場所にも制限を受けることなく、また植物の葉などに引っ付いてしまうようなことはなく、植物の葉などを傷つけることのない農園芸用資材を提供することを目的としてなされたものである。
【０００８】
【課題を解決するための手段】
そのため、この発明の農園芸用資材は、円筒状の容器とした本体１の内部に、水、肥料、薬剤より選ばれる少なくとも一種を、前記本体１から栽培手段に供給できるようにして収容すると共に、前記本体１の側周部に、粘着捕獲層とした害虫防除手段３を設けたものとしている。
【０００９】
さらに、この発明の農園芸用資材は、前記害虫防除手段３を、本体１の側周部の上部または下部を除いて設けたものとし、その除いた部分を把持部１７としている。
【００１０】
さらに、この発明の農園芸用資材は、前記薬剤が、土壌殺菌剤、植物成長調整剤、除草剤、根茎調節剤、土壌生物防除剤、誘引剤、殺虫剤、有害生物忌避剤、昆虫成長調整剤より選ばれる少なくとも一種であるものとしている。
【００１１】
さらに、この発明の農園芸用資材は、前記栽培手段が、田畑、庭地、プランター、鉢の何れかであるものとしている。
【００１２】
さらに、この発明の農園芸用資材は、前記本体１の下部に、細管状とした差込ノズル兼把持部１９を設けたものとしている。
【００１３】
さらに、この発明の農園芸用資材は、前記本体１の下半部の側周部に、複数の供給孔２０を設けたものとしている。
【００１４】
さらに、この発明の農園芸用資材は、前記本体１の下部を、円錐形状にして尖らせた差込部２２としたものとしている。
【００１５】
さらに、この発明の農園芸用資材は、前記本体１の側周部に、剥離可能とした密封シール２１を貼り付けたものとしている。
【００１６】
さらに、この発明の農園芸用資材は、前記本体１の下部に、周囲に張り出させた起立部２４を設けたものとしている。
【００１７】
さらに、この発明の農園芸用資材は、前記本体１の上部に、吊り下げ部２５を設けたものとしている。
【００１９】
図２に示したこの発明の農園芸用資材は、本体１を合成樹脂材からなる円筒状の容器１１とし、切り離し可能とした連結部１２を介して、複数個、並列に連結したものとしている。複数個、並列に連結した容器１１は、すべて同容量にしており、固形状の肥料や薬剤などを収容し、栽培手段２に差し込むなどして設置した場合に、容器１１の下部に設けた開口（図示せず）から徐々に栽培手段２の土中に吸収されるようにして、その収容物を本体１から栽培手段２に供給できるようにしている。さらに、これらの容器１１の側周部には、粘着捕獲層とした害虫防除手段３が設けられている。また、これらの容器１１は、連結部１２から一個ずつ、または複数個ずつ切り離し、図１に示したものと同様にして使用することもできる。なお、前記容器１１に収容する肥料や薬剤などは、それぞれ同種のものであっても、異種のものであってもよい。
【００２０】
図３に示したこの発明の農園芸用資材は、本体１を合成樹脂材からなる筒状の支持体１３とし、この支持体１３の中心部には棒状とした固形肥料Ｆがその下端を本体１の下部から突出させて収容され、この固形肥料Ｆと支持体１３の間には誘引剤などの固形状の薬剤Ｄが収容されている。そして、この本体１を栽培手段２に差し込むなどして設置した場合に、前記固形肥料Ｆは、その下端から栽培手段２の土中などに徐々に吸収されるようにして、本体１から栽培手段２に供給できるようにしている。さらに、この支持体１３の側周部には、粘着捕獲層とした害虫防除手段３が設けられている。また、前記薬剤Ｄが誘引剤である場合には、この誘引剤は害虫を誘引するために本体１の上部から揮散するようにし、粘着捕獲層とした害虫防除手段３に害虫が粘着捕獲され易いようにしている。
【００２１】
図４に示したこの発明の農園芸用資材は、本体１を合成樹脂材からなる円筒状の支持体１３とし、この支持体１３の上部には誘引剤などの薬剤Ｄが収容され、支持体１３の下部には固形肥料Ｆが収容されている。そして、この本体１を栽培手段２に差し込むなどして設置した場合に、前記固形肥料Ｆは、本体１の下部口（図示せず）から栽培手段２の土中などに徐々に吸収されるようにして、本体１から栽培手段２に供給できるようにしている。さらに、この支持体１３の側周部には、粘着捕獲層とした害虫防除手段３が設けられている。また、薬剤Ｄが誘引剤である場合には、害虫を誘引するために本体１の上部口１４から揮散するようにし、粘着捕獲層とした害虫防除手段３に害虫が粘着捕獲され易いようにしている。
【００２２】
図５に示したこの発明の農園芸用資材は、本体１を合成樹脂材からなる円筒状のホルダー１５としており、このホルダー１５に棒状の固形肥料Ｆを保持したものとしている。そして、この固形肥料Ｆは、栽培手段２に埋めることにより栽培手段２に設置し、栽培手段２の土中などに徐々に吸収されるようにして、本体１から栽培手段２に供給できるようにしている。さらに、ホルダー１５には、連結部１２を介して切り離し可能として、並列に連結した板状体１６の表裏面に、粘着捕獲層とした害虫防除手段３を設けたものとしている。この板状体１６に設けた害虫防除手段３は、切り目１６ａから一個ずつ、または複数個ずつ切り離し、図１に示したものと同様にして使用することができる。
【００２３】
図６に示したこの発明の農園芸用資材は、本体１を合成樹脂材からなる円筒状の容器１１としており、この容器１１の内部に液体肥料を収容したものとしている。そして、この本体１を栽培手段２に設置した場合に、前記液体肥料は、容器１１の下部に設けた滴下口（図示せず）から滴下させ、栽培手段２の土中などに徐々に浸透していくようにして、本体１から栽培手段２に供給できるようにしている。さらに、容器１１には、連結部１２を介して切り離し可能として、並列に連結した板状体１６の表裏面に、粘着捕獲層とした害虫防除手段３を設けたものとしている。この板状体１６に設けた害虫防除手段３も、図５に示したものと同様に構成されており、図１に示したものと同様にして使用することができる。
【００２４】
図７に示したこの発明の農園芸用資材は、本体１を合成樹脂材からなる円筒状の支持体１３とし、多数の孔を開けるなどしてこの支持体の側周部をメッシュ状としており、支持体１３の内部には固形肥料Ｆを収容したものとしている。そして、この固形肥料Ｆは、支持体１３の下端を栽培手段２に埋めることにより栽培手段２に設置し、栽培手段３の土中などに徐々に吸収されるようにして、本体１から栽培手段２に供給できるようにしている。さらに、支持体１３の上下部を除いた側周部には、粘着捕獲層とした害虫防除手段３を設けたものとしている。また、前記支持体１３の上下側周部には害虫防除手段３を設けたものとせず、この部分を把持部１７とし、手などに粘着しないものとして、本体１を持ち易くしている。
【００２５】
図８に示したこの発明の農園芸用資材は、本体１を合成樹脂フィルムからなる円筒状のパック型支持体１３としており、この支持体１３の内部に液状または固形の肥料や薬剤を収容したものとしている。そして、この支持体１３の収容物は、支持体１３の下端を栽培手段２に埋めることにより栽培手段２に設置し、栽培手段２の土中などに徐々に吸収されるようにして、本体１から栽培手段２に供給できるようにしている。さらに、支持体１３の下部には差し込み用の補強カバー１８を被せ、支持体１３の上部を除いた側周部には、粘着捕獲層とした害虫防除手段３を設けたものとしている。また、前記支持体の上側周部には害虫防除手段３を設けたものとせず、この部分を把持部１７とし、手などに粘着しないものとして、本体１を持ち易くしている。
【００２６】
図９に示したこの発明の農園芸用資材は、本体１を合成樹脂材からなる円筒状の容器１１としており、この容器１１の内部に液体の肥料や薬剤を収容したものとしている。さらに、この容器１１の側周部には、粘着捕獲層とした害虫防除手段３を設けたものとしている。また、容器１１の下部には、細管状とした差込ノズル兼把持部１９を設けており、この部分を把持し、手などに粘着しないものとして、本体１を持ち易くしている。そして、この容器１１の収容物は、前記差込ノズル兼把持部１９を栽培手段２に差し込むことにより栽培手段２に設置し、先端に設けた開口部（図示せず）から栽培手段２の土中などに徐々に吸収されるようにして、本体１から栽培手段２に供給できるようにしている。
【００２７】
図１０に示したこの発明の農園芸用資材は、本体１を合成樹脂材からなる円筒状の容器１１としており、この容器１１の下半部の側周部に複数の供給孔２０を設けたものとし、容器１１の内部には固形の肥料や薬剤を収容したものとしている。さらに、容器１１の上半部の側周部には、粘着捕獲層とした害虫防除手段３を設けたものとしている。また、容器１１の下部は、円錐形状にして尖らせた差込部２２として、この部分を設置手段４としたものとしており、この設置手段４により栽培手段２に差し込み易くし、本体１を栽培手段２へ設置し易いようにしている。そして、本体１を栽培手段２に設置した場合に、前記収容物は、下半部に設けた複数の供給孔２０から栽培手段２の土中などに徐々に吸収されるようにして、本体１から栽培手段２に供給できるようにしている。なお、容器１１の側周部に剥離可能とした密封シール２１を貼り付けておき、本体１を持ち易くしたり、容器１１の収容物が供給孔２０から出ないようにしている。
【００２８】
図１１に示したこの発明の農園芸用資材は、本体１を合成樹脂材からなる円筒状の容器１１としており、この容器１１の内部に液状または固形の肥料や薬剤を収容したものとしている。さらに、容器１１の上部を除いた側周部には、粘着捕獲層とした害虫防除手段３を設けたものとしている。前記容器１１の上側周部には害虫防除手段３を設けたものとせず、この部分を把持部１７とし、手などに粘着しないものとして、本体１を持ち易くしている。また、容器１１の下部の側周部には、縦方向に形成した溝に粘着剤などを装填した貼付部２３として、この部分を設置手段４としたものとしており、この設置手段４を、例えば栽培手段２である植木鉢の内側面などへ貼着させることにより、本体１を栽培手段２へ設置し易くしている。そして、本体１を栽培手段２に設置した場合に、前記収容物は、容器１１の下端を栽培手段２に接触させて、先端に設けた開口部（図示せず）から栽培手段２の土中などに徐々に吸収されるようにして、本体１から栽培手段２に供給できるようにしている。
【００２９】
図１２に示したこの発明の農園芸用資材は、本体１を合成樹脂材からなる円筒状の容器１１としており、この容器１１の内部に液状または固形の肥料や薬剤を収容したものとしている。さらに、容器１１の下部を除いた側周部には、粘着捕獲層とした害虫防除手段３を設けたものとしている。前記容器１１の下側周部には害虫防除手段３を設けたものとせず、この部分を把持部１７とし、手などに粘着しないものとして、本体１を持ち易くしている。また、容器１１の下部は、円錐形状にして尖らせた差込部２２として、この部分を設置手段４としたものとしており、この設置手段４により栽培手段２に差し込み易くし、本体１を栽培手段２へ設置し易くしている。そして、本体１を栽培手段２に設置した場合に、前記容器１１の収容物は、先端に設けた開口部（図示せず）から栽培手段２の土中などに徐々に吸収されるようにして、本体１から栽培手段２に供給できるようにしている。
【００３０】
図１３に示したこの発明の農園芸用資材は、本体１を合成樹脂材からなる円筒状の容器１１としており、この容器１１の内部に液状または固形の肥料や薬剤を収容したものとしている。さらに、容器１１の上部を除いた側周部には、粘着捕獲層とした害虫防除手段３を設けたものとしている。前記容器１１の上側周部には、害虫防除手段３を設けたものとせず、この部分を把持部１７とし、手などに粘着しないものとして、本体１を持ち易くしている。また、容器１１の下部には、容器１１の周囲に張り出させた支持脚などの起立部２４とした設置手段４を設けたものとしており、この設置手段４を、例えば栽培手段２である庭地の土表面に支持させることにより、本体１を栽培手段２へ設置し易くしている。そして、本体１を栽培手段２に設置した場合に、前記収容物は、容器１１の下端を栽培手段２に接触させて、先端に設けた開口部（図示せず）から栽培手段２の土中などに徐々に吸収されるようにして、本体１から栽培手段２に供給できるようにしている。なお、図示した支持脚２４は、容器１１とは別部材として取り付けたものとしているが、容器１１の一部を打ち出して、その打ち出し片を支持脚にすることもできる。
【００３１】
図１４に示したこの発明の農園芸用資材は、本体１を合成樹脂材からなる円筒状の容器１１としており、この容器１１の内部には液状または固形の肥料や薬剤を収容したものとしている。さらに、容器１１の下部を除いた側周部には、粘着捕獲層とした害虫防除手段３を設けたものとしている。また、容器１１の上部には、吊り紐などの吊り下げ部２５とした設置手段４を設けたものとしており、この設置手段４を、例えば栽培手段２である植木鉢に設置した植木用支持棒など吊るすことにより、本体１を栽培手段２へ設置し易くしている。そして、本体１を栽培手段２に設置した場合に、前記容器１１の収容物は、その容器１１の下部に設けた滴下口（図示せず）から滴下させ、栽培手段２の土中などに徐々に吸収されるようにして、本体１から栽培手段２に供給できるようにしている。なお、前記容器１１の下側周部には、害虫防除手段３を設けたものとせず、この部分を把持部１７とし、手などに粘着しないものとして、本体１を持ち易くしているが、前記吊り紐２５とした設置手段４を手で持つようにして、本体１を持ち易くしてもよい。
【００３２】
図１５に示したこの発明の農園芸用資材は、本体１を合成樹脂材からなる円筒状の容器１１としており、この容器１１の内部に液状または固形の肥料や薬剤を収容したものとしている。さらに、容器１１の上部を除いた側周部には、粘着捕獲層とした害虫防除手段３を設けたものとしている。前記容器１１の上側周部には害虫防除手段３を設けたものとせず、この部分を把持部１７とし、手などに粘着しないものとして、本体１を持ち易くしている。また、容器１１の下部の側周部には、一個所または複数個所を縦方向に切り欠いた溝などの挟み部２６とした設置手段４を設けたものとしており、この設置手段４を、例えば栽培手段２である植木鉢の側部などへ挟み込むことにより、本体１を栽培手段２へ設置し易くしている。そのため、本体１を栽培手段２に設置した場合には、害虫防除手段３の一部が隠れてしまうことがないので、害虫防除効果も阻害されることがなく、前記収容物は、容器１１の下端を栽培手段２に接触させて、先端に設けた開口部（図示せず）から栽培手段２の土中などに徐々に吸収されるようにして、本体１から栽培手段２に供給できるようにしている。
【００３３】
なお、この発明の農園芸用資材は、何れの実施形態においても、害虫防除手段３を粘着捕獲層とした場合には、この粘着捕獲層をプランター、鉢などとした栽培手段２の内側面などに貼着させることにより、栽培手段２に設置することができるので、害虫防除手段３が設置手段４を兼用したものとすることもできる。
【００３４】
【発明の効果】
この発明の農園芸用資材は、以上に述べたように構成されているので、害虫防除機能を有したものとなり、施肥状態において降雨にあっても肥料の溶出量が多くなることなく、降雨量が多い場合にも肥料が流出してしまうことなく、設置場所にも制限を受けることなく、また植物の葉などに引っ付いてしまうようなことはなく、植物の葉などを傷つけることのないものとなった。
【図面の簡単な説明】
【図１】この発明の農園芸用資材の第１実施形態を示す一部断面斜視図である。
【図２】この発明の農園芸用資材の第２実施形態を示す一部断面斜視図である。
【図３】この発明の農園芸用資材の第３実施形態を示す一部断面斜視図である。
【図４】この発明の農園芸用資材の第４実施形態を示す一部断面斜視図である。
【図５】この発明の農園芸用資材の第５実施形態を示す斜視図である。
【図６】この発明の農園芸用資材の第５実施形態の変形例を示す一部断面斜視図である。
【図７】この発明の農園芸用資材の第６実施形態を示す斜視図である。
【図８】この発明の農園芸用資材の第７実施形態を示す一部断面斜視図である。
【図９】この発明の農園芸用資材の第８実施形態を示す一部断面斜視図である。
【図１０】この発明の農園芸用資材の第９実施形態を示す斜視図である。
【図１１】この発明の農園芸用資材の第１０実施形態を示す斜視図である。
【図１２】この発明の農園芸用資材の第１０実施形態の変形例を示す斜視図である。
【図１３】この発明の農園芸用資材の第１０実施形態の変形例を示す斜視図である。
【図１４】この発明の農園芸用資材の第１０実施形態の変形例を示す斜視図である。
【図１５】この発明の農園芸用資材の第１０実施形態の変形例を示す斜視図である。
【図１６】従来の農園芸用資材の一例を示す斜視図である。
【図１７】従来の害虫防除材の一例を示す斜視図である。
【符号の説明】
１本体
２栽培手段
３害虫防除手段
４設置手段
２２差込部
２３貼付部
２４起立部
２５吊り下げ部
２６挟み部
【図１】
0004688045.tif 000002
【図２】
0004688045.tif 000003
【図３】
0004688045.tif 000004
【図４】
0004688045.tif 000005
【図５】
0004688045.tif 000006
【図６】
0004688045.tif 000007
【図７】
0004688045.tif 000008
【図８】
0004688045.tif 000009
【図９】
0004688045.tif 000010
【図１０】
0004688045.tif 000011
【図１１】
0004688045.tif 000012
【図１２】
0004688045.tif 000013
【図１３】
0004688045.tif 000014
【図１４】
0004688045.tif 000015
【図１５】
0004688045.tif 000016
【図１６】
0004688045.tif 000017
【図１７】
0004688045.tif 000018